(57)【特許請求の範囲】
【請求項１】
入賞球を取り入れる入賞口や役物の取付口を有する遊技盤に当接する当接板と、
当該当接板に立設され入賞球の誘導路を形成する側壁部材と、
前記側壁部材に横設され入賞球の誘導路の裏面を閉成する裏板部材と、
前記側壁部材に設けられ、前記入賞口や役物の配線を取り出す複数の配線取出口と、を備え、
当該設けられた複数の配線取出口は使用する使用配線取出口と使用しない不使用配線取出口とを含み、
前記使用配線取出口を表示するために前記裏板部材の表面に設けられた表示手段を備えたことを特徴とする入賞球誘導樋。
【請求項２】
前記入賞球誘導樋は樹脂から形成され、前記表示手段は前記入賞球誘導樋の樹脂成形時に、前記裏板部材の表面に一体形成されていることを特徴とする請求項１に記載の入賞球誘導樋。
【請求項３】
前記表示手段は、矢印形状に裏板部材に凸設されていることを特徴とする請求項１又は２に記載の入賞球誘導樋。
【発明の詳細な説明】
【０００１】
【発明の属する技術分野】
本発明はパチンコゲーム機の遊技盤の裏面に設けられている入賞球誘導樋に関し、詳しくは、入賞球誘導樋の側壁部材に役物等の配線を取り出す配線取出口を設け、当該配線取出口を利用して配線を取り出す入賞球誘導樋に関する。
【０００２】
【従来の技術】
従来のパチンコゲーム機では、図９に示すように、遊技盤５１に、大入賞口モジュール取付孔５３、入賞口取付孔５２，５４，５５，５６，５７等が設けられ、各々の入賞口取付孔５２乃至５７から入賞した入賞球は、遊技盤５１の裏面に取り付けられた上部入賞球誘導樋５８及び下部入賞球誘導樋５９により、各誘導路６０，６１，６２，６３に従って流下されている。図９に示すような上部入賞球誘導樋５８及び下部入賞球誘導樋５９は、パチンコゲーム機のコストダウンを図るために、パチンコゲーム機の各機種間において共通化が図られている。ところが、機種ごと、及び役物ごとによって、一つの役物取付部における配線取出方向が異なるため、図９に示すように、例えば、入賞口取付孔５５の近傍でも、２つの配線取出口６４,６５を設けて使い分けている。
【０００３】
図１０は下部入賞球誘導樋５９の正面図であるが、図１０における左側に２ヶ所の配線取出口６４，６５を設け、また、右側にも２ヶ所の配線取出口６６，６７を設けている。これらの配線取出口６４乃至６７は、図９に示すように、機種ごとで使い分けている。図９に示すパチンコゲーム機では、図９における左側の入賞口取付孔５５では、下部の配線取出口６４を使用して役物６８の配線６９を引き出し、また、右側の役物入賞口取付孔５７でも、下部の配線取出口６６を使用して役物７０の配線７１を引き出している。
【０００４】
【発明が解決しようとする課題】
しかしながら、上記のような共通化された入賞球誘導樋では、図１１に示すように、下部入賞球誘導樋５９を遊技盤５１に取り付けるときに、役物６８の配線６９を誤った配線取出口６５から取り出し、また、同様に役物７０の配線７１を誤った配線取出口６７から取り出してしまうことがあった。このように、配線の取り出し口を誤ると、図１１に示すように、入賞球７２が配線７１によって止まってしまい、球詰まりになる問題点があった。また、配線の取り出し口を誤ったために配線が遠回しになり線長が足りなくなり、下部入賞球誘導樋５９上に載置されている中継基盤７３上の雌コネクター７４，７５に配線６９の雄コネクター７６及び配線７１の雄コネクター７７が各々差し込めなくなるという問題点があった。
【０００５】
そこで、本発明では、上記の問題点を解決するために、各機種間で共通に使用される入賞球誘導樋において、正しい配線の取り出し方向が分かるようにして、配線の誤った取り出しを防止することを目的とする。
【０００６】
【課題を解決するための手段】
上記の目的を達成するために、請求項１に記載の発明の入賞球誘導樋では、入賞球を取り入れる入賞口や役物の取付口を有する遊技盤に当接する当接板と、当該当接板に立設され入賞球の誘導路を形成する側壁部材と、前記側壁部材に横設され入賞球の誘導路の裏面を閉成する裏板部材と、前記側壁部材に設けられ、前記入賞口や役物の配線を取り出す複数の配線取出口と、を備え、当該設けられた複数の配線取出口は使用する使用配線取出口と使用しない不使用配線取出口とを含み、前記使用配線取出口を表示するために前記裏板部材の表面に設けられた表示手段を備えている。
【０００７】
なお、「立設」とは、当接板に対して側壁部材が立った状態で設けられていることを意味し、必ずしも接合箇所が直角に角ばっている必要はなく、二つの部材の接合箇所が面取りや曲面加工されているものも含み、また、当接板に対して側壁部材が一定の傾斜角を持っているものも含む概念である。また、上記の入賞球誘導樋では、当接板に対して立設している側壁部材に対して裏板部材が横設していることから、当接板と裏板部材が略平行の位置関係になり、当該当接板と裏板部材との間に側壁部材が配置されて入賞球の誘導路を形成している。さらに、ここでいう入賞球誘導樋は当接板、側壁部材及び裏板部材が一体形成されているものも、当接板、側壁部材及び裏板部材を各々接合して形成しているものの何れも含むものである。
【０００８】
上記の構成を有する入賞球誘導樋では、遊技盤に入賞球誘導樋を組み付けるときに、遊技盤に取り付けられる役物や入賞球検出装置の配線を、側壁部材に設けられている複数の配線取出口の内、入賞球誘導樋の裏板部材の表面に設けられた表示手段が示している配線取出口から配線を入賞球誘導樋の外に引き出すことができる。従って、正しい配線取出口から配線を引き出すことが容易にでき、配線の引き出しの誤りを防止できる。
【０００９】
請求項２に記載の発明の入賞球誘導樋では、上記の構成に加え、前記入賞球誘導樋は樹脂から形成され、前記表示手段は前記入賞球誘導樋の樹脂成形時に、前記裏板部材の表面に一体形成されていることを特徴とする構成になっている。
【００１０】
上記の構成を有する入賞球誘導樋では、請求項１にかかる発明の作用に加え、入賞球誘導樋が樹脂成形により一体に形成され、表示手段も前記入賞球誘導樋の樹脂成形時に、前記裏板部材の表面に一体に形成されているので、表示手段の裏板部材への形成が容易かつ確実にできる。また、表示手段が裏板部材一体に形成されているので、遊技盤への入賞球誘導樋の組付け作業の前に、表示手段が裏板部材から脱落したり、表示方向が変化してしまうことがない。
【００１１】
さらに、請求項３記載の発明の入賞球誘導樋では、請求項１又は２に記載の発明の構成に加え、前記表示手段は、矢印形状に裏板部材に凸設されていることを特徴とする構成になっている。請求項３記載の発明の入賞球誘導樋では、請求項１又は２に記載の発明の作用に加え、前記表示手段は、矢印形状に入賞球誘導樋の裏板部材の表面に凸設されているので、遊技盤への入賞球誘導樋の組付け作業時に、配線の正しい引き出し方向が作業者に明確に分かる。
【００１２】
【発明の実施の形態】
次に、本発明の一実施の形態である入賞球誘導樋について図面を参照して説明する。図１は、本実施の形態の入賞球誘導樋がパチンコゲーム機の遊技盤１の裏面に取り付けられた状態を示す図である。ここで、入賞球誘導樋は上部入賞球誘導樋２及び下部入賞球誘導樋３の二部材から構成されている。
【００１３】
先ず、図１を参照して、上部入賞球誘導樋２及び下部入賞球誘導樋３が取り付けられる遊技盤１の構造について説明する。図１は遊技盤１を裏面方向から見た図である。遊技盤１は厚板のベニヤ板により形成されており、中央部には、液晶表示盤等のセンター役物取付孔４が開設（切欠）され、該センター役物取付孔４の周囲には、上部から下部に向かって順に、上部入賞口取付孔６、中間部入賞口取付孔７，８、及び下部入賞口取付孔９，１０が各々開設されている。また、前記センター役物取付孔４の下部には、当該センター役物取付孔４に取付けられた図示外のセンター役物を動作させるための始動入賞口取付孔（図示せず）及び大入賞口モジュール取付孔１１が開設され、該大入賞口モジュール取付孔１１の下部には、いずれの入賞口にも入賞せずに落下した球を取り入れるアウト球取入口１２が形成されている。
【００１４】
遊技盤１には上記のように各入賞口取付孔が各々開設されているのであるが、下部入賞口取付孔９、１０には、それぞれ役物１３，１４が取り付けられている。また、他の入賞口取付孔にも図示外の入賞口部材が取り付けられて、各入賞口を形成している。これらの各入賞口から入賞したパチンコ球やアウト球取入口１２から入ったパチンコ球は、上部入賞球誘導樋２及び下部入賞球誘導樋３によって誘導案内されて流下する。
【００１５】
次に、図２乃至図３を参照して、本発明の主要部である下部入賞球誘導樋３について説明する。
【００１６】
図２は下部入賞球誘導樋３を図１に示す図と同じ方向からみた場合の正面図、図３は図２に示す下部入賞球誘導樋３の右側面図である。ここで、下部入賞球誘導樋３は、前記各入賞口から入賞したパチンコ球を遊技盤１の裏面において誘導案内するために設けられている誘導部材であり、半透明のＡＢＳ樹脂から構成されているので、一定の弾性を有している。図２に示すように、下部入賞球誘導樋３の中央部には、前記遊技盤１の裏面に平行に当接する中央当接板１６が形成され、また、図２における左上端部には左当接板１７が形成され、右上端部には右当接板１８が形成され、右下端部には右下部当接板１５が平面状に形成されている。
【００１７】
さらに、下部入賞球誘導樋３には前記各当接板１５，１６，１７，１８と平行に設けられた上部誘導板１９，２０が形成され、前記各当接板１５，１６，１７，１８と各上部誘導板１９，２０との間には、入賞球の誘導路の側壁を形成する誘導側壁２１，２２，２３，２４，２５，２６が各々前記各当接板１５，１６，１７，１８及び各上部誘導板１９，２０と直交する方向に形成されている。この各誘導側壁２１，２２，２３，２４，２５，２６の内部の高さは、入賞した球をスムーズに流下させるためにパチンコ球の直径よりやや大きく形成されている。ここで、誘導側壁２１と２２により左誘導路２７が形成され、誘導側壁２３と２４により中央誘導路２８が形成され、誘導側壁２５と２６により右誘導路２９が形成されている。これらの各誘導路２７，２８，２９内を前記各入賞口から入賞した球が流下する。
【００１８】
さらに、誘導側壁２１には側面配線取出口３４が開口され、誘導側壁２２と誘導側壁２３の上部を結ぶ面には下部配線取出口３５が開口されている。また、誘導側壁２６には側面配線取出口３６が開口され、誘導側壁２５の中間部分には下部配線取出口３７が開口されている。これらの配線取出口３４乃至３７は、下部入賞球誘導樋３を樹脂成形するときに金型により一体として開口形成されている。
【００１９】
上記の配線取出口３４乃至３７を利用して、図１に示す役物１３，１４の配線３８，３９が引き出される。なお、配線３８，３９の各先端には雄コネクター４５，４６が各々取り付けられている。下部入賞球誘導樋３の上部誘導板１９，２０には、遊技盤１に下部入賞球誘導樋３を取り付けるときに、役物１３，１４の各配線３８，３９の正しい取出口を指示する表示矢印４０，４１が形成されている。本実施の形態では、役物１３の配線３８は、図１に示すように下部配線取出口３５から取り出すのが適正であるので、表示矢印４０は下部配線取出口３５方向を指し示すように立体形状の矢印で上部誘導板１９上に形成されている。また、役物１４の配線３９も、図１に示すように下部配線取出口３７から取り出すのが適正であるので、表示矢印４１は下部配線取出口３７方向を指し示すように立体形状の矢印で上部誘導板２０上に形成されている。
【００２０】
次に、図４及び図５を参照して、表示矢印４０，４１を形成する方法について説明する。図４は、従来の下部入賞球誘導樋５９を樹脂成形する様子示す概念図であり、図５は、本実施の形態の下部入賞球誘導樋３を樹脂成形する様子示す概念図である。
【００２１】
従来は、図４に示すように、下部入賞球誘導樋５９は、下部入賞球誘導樋５９の形状を工作機械にて彫り込んだ金属製の下金型４２に略平らな内面を持つ上金型４３を圧接して図示外の樹脂注入孔から図示外の射出成形機によって、ＡＢＳ樹脂を注入して樹脂成形を行っていた。従って、成形された下部入賞球誘導樋５９の上面は略平面に形成されていた。これに対して、本実施の形態では、下金型４２は共通であるが、図５に示すように、上金型４４の内面に表示矢印を工作機械にて彫り込んでおくと、樹脂成形された下部入賞球誘導樋３の表面には、図２に示すように、表示矢印４０，４１が形成される。従って、下金型４２は共通に使用でき、上金型４４を交換するだけで、各機種のパチンコゲーム機に使用できる下部入賞球誘導樋３を形成することができる。
【００２２】
なお、本実施の形態では、「各当接板１５乃至１８」が請求項１にいう「当接板」に該当し、「誘導側壁２１乃至２６」が同じく「側壁部材」に該当し、「上部誘導板１９，２０」が同じく「裏板部材」に該当し、「各配線取出口３４乃至３７」が同じく「配線取出口」に該当し、「表示矢印４０，４１」が同じく「表示手段」に該当する。
【００２３】
次に、本実施の形態の下部入賞球誘導樋３の作用について説明する。下部入賞球誘導樋３の作用は、図１に示すように、下部入賞球誘導樋３を遊技盤１に組付ける時に発揮されるので、下部入賞球誘導樋３の遊技盤１への組付けを順を追って説明する。先ず遊技盤１の下部入賞口取付口９，１０に、各々、役物１３，１４を図示外のネジによって取り付ける。次に、下部入賞球誘導樋３を遊技盤１に組付けるのであるが、各役物１３，１４の配線３８，３９を正しい配線取出口から取り出す必要がある。
【００２４】
このとき、下部入賞球誘導樋３の上部誘導板１９には表示矢印４０が形成されており、該表示矢印４０は図１において下方向を示している。即ち、該表示矢印４０は下部配線取出口３５を示しているので、作業者は容易に正しい配線取出口を知ることができる。従って、役物１３の配線３８は下部配線取出口３５から正しく引き出される。また、同様に、下部入賞球誘導樋３の上部誘導板２０には表示矢印４１が形成されており、該表示矢印４１は図１において下方向を示している。即ち、該表示矢印４１は下部配線取出口３７を示しているので、ここでも、作業者は容易に正しい配線取出口を知ることができる。従って、役物１４の配線３９は下部配線取出口３７から正しく引き出される。
【００２５】
その後、下部入賞球誘導樋３は、位置決突起３１，３２により遊技盤１の図示外の位置決穴に位置合わせされた後に、右下部当接板１５、中央当接板１６、左当接板１７、右当接板１８にタッカー（ステープル）を打ち込むか、または、ビスにより下部入賞球誘導樋３が遊技盤１に固定される。
【００２６】
以上のように、本実施の形態の下部入賞球誘導樋３では、役物１３，１４の配線３８，３９の正しい配線取出口を表示する表示矢印４０，４１が下部入賞球誘導樋３の表面に形成されているので、作業者が配線３８，３９の正しい引出方向を容易に知ることができる。従って、配線３８，３９の誤った引き出しが防止でき、配線３８，３９により入賞球の流下が妨げられて球詰まりを起こすことがない。また、配線３８，３９の誤った引き出しにより、下部入賞球誘導樋３の外へ引き出された配線長の不足により、図１１に示す中継基板７３の雌コネクター７４，７５に配線３８，３９の先端に固着されている雄コネクター４５，４６が嵌合できなくなることも防止できる。
【００２７】
さらに、下金型４２は共通に使用でき、上金型４４を交換するだけで、各機種のパチンコゲーム機に使用できる下部入賞球誘導樋３を形成できるので、金型費が節約できる特徴がある。
【００２８】
ここでは、下部入賞球誘導樋３を遊技盤１に組付ける場合について説明したが、図１では、省略して図示していないが、上部入賞球誘導樋２にも同様の表示矢印が形成されており、遊技盤１への下部入賞球誘導樋２の組付け時にも使用される。
【００２９】
本発明は上記の実施の形態に限られず、各種の変形が可能であることはいうまでもない。例えば、上記の実施の形態では、表示矢印４０，４１は下部配線取出口３５，３７を指しているが、図６に示す表示矢印４７，４８ように、横方向に配線３８，３９を取り出すのが適切な場合には、表示矢印４７が側面配線取出口３４を指すように成形し、表示矢印４８も側面配線取出口３６を指すように成形すればよい。
【００３０】
また、表示手段は表示矢印に限られず、配線取出口を表示できるものであれば、いかなる印でもよい。例えば、図７及び図８に示すように、突起４９，５０を下部入賞球誘導樋３上に形成して、使用する配線取出口を示すようにしてもよい。この場合には、従来の上金型にボール盤等を用いて凹窪を形成するだけで、簡単に上金型を改造して利用できる利点がある。
【００３１】
さらに、上記の実施の形態では、表示手段は下部入賞球誘導樋３上に一体形成されているものを示したが、必ずしも一体形成されていなくともよく、通常の下部入賞球誘導樋３を樹脂成形により形成し、その後、スクリーン印刷等で、矢印等の印を下部入賞球誘導樋３の表面に印刷しておくようにしてもよい。成形後、矢印を刻印しても良い。
【００３２】
また、上記の実施の形態では、入賞球誘導樋は上下に２分割されているものについて説明したが、上下で一体構造となっていても本発明が適用できることはいうまでもない。
【００３３】
【発明の効果】
請求項１に記載の発明の入賞球誘導樋では、遊技盤に入賞球誘導樋を固定するときに、遊技盤に取り付けられる役物や入賞球検出装置の配線を、側壁部材に設けられている複数の配線取出口の内、入賞球誘導樋の表面に設けられた表示手段が表示する正しい配線取出口から配線を入賞球誘導樋の外に引き出すことができる。作業者は一目で正しい配線取出口が分かり、正しい配線の引き出しが容易にでき、配線の引き出しの誤りを防止できる。
【００３４】
従って、配線の誤った引き出しが防止でき、配線により入賞球の流下が妨げられて球詰まりを起こすことも防止できる。また、配線の誤った引き出しにより、入賞球誘導樋の外へ引き出された配線長の不足により、中継基板に設けられているコネクターに配線の先端に固着されているコネクターを嵌合させることができなくなることも防止できる。さらに、本発明の入賞球誘導樋では、樹脂成形用の下金型はパチンコゲーム機の各機種間で共通に使用でき、上金型を交換するだけで、各機種のパチンコゲーム機に使用できる入賞球誘導樋を形成できるので、金型費が節約できる。
【００３５】
また、請求項２に記載の発明の入賞球誘導樋では、請求項１にかかる発明の効果に加え、入賞球誘導樋が樹脂成形により一体に形成され、表示手段も前記入賞球誘導樋の樹脂成形時に、入賞球誘導樋の裏板部材の表面に一体に形成されているので、表示手段の裏板部材への形成が容易かつ確実にできる。また、表示手段が裏板部材一体に形成されているので、遊技盤への入賞球誘導樋の組付け作業の前に、表示手段が裏板部材から脱落したり、表示方向が変化してしまうことを防止できる。
【００３６】
さらに、請求項３記載の発明の入賞球誘導樋では、請求項１又は２に記載の発明の効果に加え、前記表示手段は、矢印形状に入賞球誘導樋の裏板部材上に凸設されているので、遊技盤への入賞球誘導部樋の組付け作業時に、配線の引き出し方向が作業者に明確に分かり、視覚に頼らずに、触覚のみでも、正しい配線の引き出し作業が可能になる。
【００３７】
なお、上記発明の効果は、側壁部材に配線取出口が一つ設けられている場合及び複数設けられている場合のいずれの場合でも発揮することができる。即ち、配線取出口が一つの場合には、表示手段により、正規の配線取出口以外の開口部からの配線の誤った取り出しが防止され、配線取出口が複数の場合には、当該複数設けらている配線取出口の内、正しい配線取出口から配線を取り出すことが可能になる。
【図面の簡単な説明】
【図１】  本発明の一実施の形態の入賞球誘導樋がパチンコゲーム機の遊技盤の裏面に取り付けられた状態を示す正面図である。
【図２】  本発明の一実施の形態の入賞球誘導樋の正面図である。
【図３】  図２に示す入賞球誘導樋の右側面図である。
【図４】  従来の入賞球誘導樋の樹脂成形を示す概念図である。
【図５】  本発明の一実施の形態の入賞球誘導樋の樹脂成形を示す概念図である。
【図６】  本発明の他の実施の形態の入賞球誘導樋の正面図である。
【図７】  本発明の他の実施の形態の入賞球誘導樋の正面図である。
【図８】  図７に示す入賞球誘導樋の右側面図である。
【図９】  従来の入賞球誘導樋がパチンコゲーム機の遊技盤の裏面に取り付けられた状態を示す正面図である。
【図１０】  従来の入賞球誘導樋の正面図である。
【図１１】  従来の入賞球誘導樋がパチンコゲーム機の遊技盤の裏面に取り付けられた状態を示す正面図である。
【符号の説明】
１  遊技盤
２  上部入賞球誘導樋
３  下部入賞球誘導樋
１５  右下部当接板
１６  中央当接板
１７  左当接板
１８  右当接板
１９,２０  上部誘導板
２１〜２６  誘導側壁
３８，３９  配線
４０，４１  表示矢印
【図１】
0003944596.tif 000002
【図２】
0003944596.tif 000003
【図３】
0003944596.tif 000004
【図４】
0003944596.tif 000005
【図５】
0003944596.tif 000006
【図６】
0003944596.tif 000007
【図７】
0003944596.tif 000008
【図８】
0003944596.tif 000009
【図９】
0003944596.tif 000010
【図１０】
0003944596.tif 000011
【図１１】
0003944596.tif 000012